(57)【要約】【課題】タッチパネル自体のセンサ機能を用いて、あるいはタッチパネルを用いた携帯端末にセンサを搭載し、操作する指の位置を感知する携帯端末、タッチパネルの項目配置方法およびプログラムの提供する。【解決手段】タッチパネルを有する携帯端末であって、タッチパネル上にキーやアイコンである項目を配置する配置手段を有し、タッチパネル上または前記タッチパネル周辺には、操作するユーザの指の位置を感知するセンサをさらに有し、配置手段は、センサで感知した操作するユーザの指の位置によって、項目を指の位置近傍に配置する。【選択図】図１
2010020601.tif 000002
【特許請求の範囲】
【請求項１】
タッチパネルを有する携帯端末であって、
前記タッチパネル上にキーやアイコンである項目を配置する配置手段を有し、
前記タッチパネル上または前記タッチパネル周辺には、操作するユーザの指の位置を感知するセンサをさらに有し、
前記配置手段は、前記センサで感知した前記操作するユーザの指の位置によって、前記項目を前記指の位置近傍に配置することを特徴とする携帯端末。
【請求項２】
前記項目の使用頻度順を判別する判別手段と、
前記使用頻度順を保存可能な記憶手段とをさらに有し、
前記配置手段は、前記センサで感知した前記操作するユーザの指の位置と、保存されている使用頻度順とに従って、前記項目を前記指の位置近傍に配置することを特徴とする請求項１に記載の携帯端末。
【請求項３】
前記センサは、熱センサまたは圧力センサであることを特徴とする請求項２に記載の携帯端末。
【請求項４】
前記タッチパネル上の前記センサは、前記項目の押下時の感知と、ユーザの指を置いた側の感知とを行うことを特徴とする請求項３に記載の携帯端末。
【請求項５】
前記センサは、前記ユーザの指が前記タッチパネル上または前記タッチパネル周辺に置かれている場合に前記感知を継続することを特徴とする請求項４に記載の携帯端末。
【請求項６】
携帯端末が有するタッチパネルの項目配置方法であって、
前記タッチパネル上にキーやアイコンである項目を配置手段によって配置する配置工程を有し、
前記タッチパネル上または前記タッチパネル周辺には、操作するユーザの指の位置をセンサによって感知する感知工程をさらに有し、
前記配置工程では、前記センサで感知した前記操作するユーザの指の位置によって、前記項目を前記指の位置近傍に配置することを特徴とするタッチパネルの項目配置方法。
【請求項７】
前記項目の使用頻度順を判別する判別工程と、
前記使用頻度順を保存可能な記憶工程とをさらに有し、
前記配置工程では、前記センサで感知した前記操作するユーザの指の位置と、保存されている使用頻度順とに従って、前記項目を前記指の位置近傍に配置することを特徴とする請求項６にタッチパネルの項目配置方法。
【請求項８】
前記センサは、熱センサまたは圧力センサであることを特徴とする請求項７に記載のタッチパネルの項目配置方法。
【請求項９】
前記タッチパネル上の前記センサは、前記項目の押下時の感知と、ユーザの指を置いた側の感知とを行うことを特徴とする請求項８に記載のタッチパネルの項目配置方法。
【請求項１０】
前記センサは、前記ユーザの指が前記タッチパネル上または前記タッチパネル周辺に置かれている場合に前記感知を継続することを特徴とする請求項９に記載のタッチパネルの項目配置方法。
【請求項１１】
タッチパネルを有する携帯端末に実行させるプログラムであって、
前記タッチパネル上にキーやアイコンである項目を配置手段によって配置する処理と、
前記タッチパネル上または前記タッチパネル周辺には、操作するユーザの指の位置をセンサによって感知する処理と、
前記センサで感知した前記操作するユーザの指の位置によって、前記項目を前記指の位置近傍に配置する処理とを前記携帯端末に実行させることを特徴とするプログラム。
【請求項１２】
前記項目の使用頻度順を判別する判別処理と、
前記使用頻度順を保存可能な記憶処理とをさらに有し、
前記配置処理では、前記センサで感知した前記操作するユーザの指の位置と、保存されている使用頻度順とに従って、前記項目を前記指の位置近傍に配置することを特徴とする請求項１１にプログラム。
【請求項１３】
前記センサは、熱センサまたは圧力センサであることを特徴とする請求項１２に記載のプログラム。
【請求項１４】
前記タッチパネル上の前記センサは、前記項目の押下時の感知と、ユーザの指を置いた側の感知とを行うことを特徴とする請求項１３に記載のプログラム。
【請求項１５】
前記センサは、前記ユーザの指が前記タッチパネル上または前記タッチパネル周辺に置かれている場合に前記感知を継続することを特徴とする請求項１４に記載のプログラム。
【発明の詳細な説明】
【技術分野】
【０００１】
本発明は、片手または両手で使用する携帯端末、タッチパネルの項目配置方法およびプログラムに関する。
【背景技術】
【０００２】
近年、操作方法が直感的で分かり易く、見やすい大きな画面のタッチパネルが、携帯端末にも搭載されてきている。しかし、ユーザが使用する指を動かす範囲は、従来のテンキーを用いた端末より拡大しており、片手で操作するには負荷が大きい。指の位置から遠いキーを選択する際の指の疲労や、押し間違えなどがない、安定した操作をしようとすると必然的に両手を要する。
【０００３】
このように、安定した操作には、必然的に両手を要するが、実際にはユーザは歩きながら、または、電車内でつり革を持ちながら等、携帯端末を片手で操作することが多い。
【０００４】
したがって、ユーザが片手で携帯端末等を操作する場合、端末等を持つ手の位置を変えなければ対象のキーに指が届かない、押し間違えるなどの問題があった。
【０００５】
関連する技術を次に開示する。
【０００６】
特許文献１の画面表示部を有する機器は、デジタルカメラに形成された表示部の前面にタッチパネルを設け、カメラを把持した際に表示部を触った場所を判別し、その押圧位置を基準として、その周囲にシャッターボタン、ズームアップボタンおよびズームダウンボタン等の操作ボタンを撮影画像に重ね表示する。これによれば、操作装置をデジタルカメラに適用し、カメラの小型化及び表示部の大型化を達成している。
【０００７】
特許文献２の入力装置は、キー配列を表示するための表示手段と、この表示手段の上に重ねて配置されたタッチパネルと、演算処理回路と、この演算処理回路より得られるデータを記憶する記憶回路とを備え、演算処理回路は、各指を揃え最も伸ばした第１の状態、特定の指を広げるとともに伸ばした第２の状態及び各指を最も折り曲げた第３の状態におけるタッチパネル上の各指の座標位置を検出し各座標データを記憶回路に一時保存させる座標検出手段と記憶回路に記憶された第１乃至第３の状態の各指の座標データより使用者の指の可動範囲を算出する手段とこの算出手段の算出結果に基づいて使用者の各指の可動範囲に応じたキー配列を表示手段上に表示するキー割り当て手段とで構成している。これによれば、指をタッチパネルに押下することにより、使用者の手に適合したキー配列を表示装置に表示させることができる。
【特許文献１】特開２００７−０５２７９５号公報
【特許文献２】特開平１０−２３２７３５号公報
【発明の開示】
【発明が解決しようとする課題】
【０００８】
上述したように、従来のタッチパネルを用いた携帯端末では、片方の手で端末を支え、もう片方の手で端末を操作するといった両手を使用するスタイルが最も操作しやすく、片手だけで操作するには不便であった。
【０００９】
そこで、キーやアイコンの位置を画面上で変化させること、つまりは、操作する指の位置に合わせてキーやアイコンを配置する方法の実現が望まれる。
【００１０】
しかしながら特許文献１は、上述したように、カメラを把持した際に表示部を触った場所を判別し、その押圧位置を基準として操作ボタンを撮影画像に重ね表示することが開示されているが、上記課題を解決することにはならない。また、操作ボタンを指の位置に表示しても、操作ボタンの配置が決まっていることから、ユーザのキー選択等を意図しない形式となる。
【００１１】
また、特許文献２では、使用当初に指を最も伸ばした状態、特定の指を広げると共に伸ばした状態、指を最も折り曲げた状態等を再現し記憶する必要があり、この場合、使用する指を変化させる度に、指の可動範囲の再設定を行う必要が生じてくる。
【００１２】
本発明では、センサを搭載し、操作する指の位置に合わせてキーやアイコンを配置する携帯端末、タッチパネルの項目配置方法およびプログラムの提供を目的とする。
【課題を解決するための手段】
【００１３】
上記の目的を達成するため、本発明の第１の携帯端末は、タッチパネルを有する携帯端末であって、前記タッチパネル上にキーやアイコンである項目を配置する配置手段を有し、前記タッチパネル上または前記タッチパネル周辺には、操作するユーザの指の位置を感知するセンサをさらに有し、前記配置手段は、前記センサで感知した前記操作するユーザの指の位置によって、前記項目を前記指の位置近傍に配置することを特徴とする。
【００１４】
本発明の第１のタッチパネルの項目配置方法は、携帯端末が有するタッチパネルの項目配置方法であって、前記タッチパネル上にキーやアイコンである項目を配置手段によって配置する配置工程を有し、前記タッチパネル上または前記タッチパネル周辺には、操作するユーザの指の位置をセンサによって感知する感知工程をさらに有し、前記配置工程では、前記センサで感知した前記操作するユーザの指の位置によって、前記項目を前記指の位置近傍に配置することを特徴とする。
【００１５】
本発明の第１のプログラムは、タッチパネルを有する携帯端末に実行させるプログラムであって、前記タッチパネル上にキーやアイコンである項目を配置手段によって配置する処理と、前記タッチパネル上または前記タッチパネル周辺には、操作するユーザの指の位置をセンサによって感知する処理と、前記センサで感知した前記操作するユーザの指の位置によって、前記項目を前記指の位置近傍に配置する処理とを前記携帯端末に実行させることを特徴とする。
【発明の効果】
【００１６】
本発明は、タッチパネル自体のセンサ機能を用いて、あるいはタッチパネルを用いた携帯端末に、センサを搭載し、操作する指の位置を感知することで、キーを指の近くに配置し、操作性を向上させる携帯端末、タッチパネルの項目配置方法およびプログラムの提供を可能とする。
【発明を実施するための最良の形態】
【００１７】
本発明は、以下の記載を実現する。
【００１８】
従来の端末では、操作する指の位置が意識されておらず、画面均一にキーが配置されており、操作する指から距離のあるキーは押し辛いという問題点があったが、本発明は、操作する指の位置を感知し、キーの位置を変化させることで、携帯端末の片手操作性を向上することができる。
【００１９】
また、本発明では、ユーザの選択操作を含めた、操作性の向上を意図しているので、閲覧時（見やすいように画面全体にキーやアイコンが並んでいる）から操作時にキーやアイコンを指の近くに配置することを示している。したがって、操作ボタンを指の位置に表示する訳ではなく、画面に広がったキーや操作したい場合を区別している機能を含んでいる。上記の一例として、熱センサや圧力センサを用い、画面外に指を置くことで、キーやアイコンの移動を行っている。
【００２０】
また、本発明では、指を置いた位置、画面外の場合は、指を置いた側を、随時判断しており、操作する指を変更しても、再設定なしで、その都度キーやアイコンが追随することができる。
【００２１】
上記を実現する本発明を実施する実施の形態について以下、説明していく。
以下に記載する実施の形態は、本発明が有する課題を解決するにあたって好適もしくは最良な構成および処理である。しかし、これに限定されることはなく、この構成および処理は、当業者が容易に想到できる範囲内において修正、変更可能とする。
以下の実施形態では、携帯端末に携帯電話を適用する。
【００２２】
（実施形態１）
本実施形態では、本発明の携帯端末（本実施形態では、携帯端末に携帯電話を適用）の基本構成、基本処理について図１および図２を用いて説明する。
【００２３】
図１および図２に示すように、本実施形態の携帯電話２は、タッチパネル１を有し、タッチパネル１は、メニューアイコン６および使用頻度順７から構成される。また、携帯電話２は、学習機能８、内部メモリ９、ＣＰＵ（図示せず）を内部に有する。また、ユーザの指３が携帯電話２に置かれている。さらに、後述するが、携帯電話２は、センサ４、または、センサ５を有する。センサ４、または、センサ５は、例として、熱センサや圧力センサを用いることができる。
【００２４】
指３は、端末を操作するユーザのものである。後述するセンサ４は、指３の位置を画面上で感知する。後述するセンサ５は、タッチパネル１から最も近い距離にある指３を感知する。
【００２５】
使用頻度順７は、図１に示す例によると、（１）テレビ機能（２）カメラ機能（３）ステレオ機能（４）時計機能の順に優先順位を付ける。これは、ユーザが使用した頻度を基にする。
【００２６】
判別手段としての学習機能８は、メニューアイコン６または端末内部のメニューアイコン６の使用頻度順７を判別する。上記のように、（１）テレビ機能（２）カメラ機能（３）ステレオ機能（４）を判別する。
【００２７】
記憶手段としての内部メモリ９は、使用頻度順７を保存する。上記のように、（１）テレビ機能（２）カメラ機能（３）ステレオ機能（４）の優先順位を保存する。
【００２８】
配置手段としてのＣＰＵは、タッチパネル１上のキーやメニューアイコン６である項目を配置する。
【００２９】
本実施形態では、タッチパネルを用いた携帯電話のメニューアイコン６を、以下の２通りの方法で、指の位置を感知し、選択する場合を例として用いる。
【００３０】
１.タッチパネルの画面上で指の位置を感知する。これは、タッチパネル自体のセンサ機を使用する。
２.タッチパネルの画面外で指の位置を感知する。これは、端末本体のタッチパネルの画面外にセンサを取り付け、使用する。
【００３１】
ただし、携帯端末に関しては、タッチパネルを有する任意の端末を用いることが出来る。また利用シーンは、キーやアイコン、項目を選択する場合を対象とする。
【００３２】
図１、２は、上記２通りの方法でユーザが携帯電話２を操作する際に、メニューアイコン６の配置を、個々のユーザに合わせて行う場合を示す。
【００３３】
メニューアイコン６の使用頻度順７を学習機能８が判別し、その使用頻度順７を内部メモリ９に保存する。内部メモリ９に保存されている使用頻度順７に従って、メニューアイコン６を、操作する指３の位置付近に配置する。
【００３４】
配置手段としてのＣＰＵは、タッチパネル１上のキーやメニューアイコン６である項目を配置する。また、画面上で感知した指３の位置または感知したタッチパネル１から最も近い距離にある指３から、キーやメニューアイコン６である項目を指３の位置近傍に配置する。また、センサで感知した操作するユーザの指３の位置と、保存されている使用頻度順７とに従って、項目を指３の位置近傍に配置する。
【００３５】
本実施形態によれば、携帯端末の片手操作性が向上できる。また、利き手の区別がなく、操作しやすい指の位置を基に、キーの配置ができる。さらに、個々のユーザの使用方法合わせて、操作したい対象を、操作しやすい指の付近に配置できるといった効果を得ることができ、タッチパネルを有した各種携帯端末で、キー操作の利便性向上が期待できる。
【００３６】
（実施形態２）
本実施形態の携帯端末の構成、処理について図１、図２および図３を用いて説明する。
図３は、タッチパネル１の画面上で操作する指３の位置を感知し、メニューアイコン６を指３の位置付近に配置する場合を示す。
【００３７】
本実施形態では、タッチパネルを用いた携帯電話のメニューアイコン６を、以下の方法で、指の位置を感知し、選択する場合を例として用いる。
１.タッチパネルの画面上で指の位置を感知する。これは、タッチパネル自体のセンサ機を使用する。
【００３８】
本実施形態では、ユーザが携帯電話２を持ち、タッチパネル１の画面上の操作しやすい位置に指３を置く。センサ４は指３の位置を感知し、その位置付近にメニューアイコン６を配置する。この場合、長押し等の動作を用い、メニューアイコン６を選択する（押下する）動作との区別を付ける。
【００３９】
基本構成については図１および図２に示すように、携帯電話２は、タッチパネル１を有し、タッチパネル１は、メニューアイコン６および使用頻度順７から構成される。また、携帯電話２は、学習機能８、内部メモリ９、ＣＰＵ（図示せず）を内部に有する。また、ユーザの指３が携帯電話２に置かれている。さらに、後述するが、携帯電話２は、センサ４、または、センサ５を有する。
【００４０】
指３は、端末を操作するユーザのものである。センサ４は、指３の位置を画面上で感知する。
【００４１】
使用頻度順７は、ユーザが使用した頻度を基に優先順位を付ける。学習機能８は、メニューアイコン６または端末内部のメニューアイコン６の使用頻度順７を判別する。内部メモリ９は、使用頻度順７を保存する。ＣＰＵは、タッチパネル１上のキーやメニューアイコン６である項目を配置する。
【００４２】
配置手段としてのＣＰＵは、タッチパネル１上のキーやメニューアイコン６である項目を配置する。また、画面上で感知した指３の位置を基に、最も近い距離にある指３から、キーやメニューアイコン６である項目を指３の位置近傍に配置する。また、センサで感知した操作するユーザの指３の位置と、保存されている使用頻度順７とに従って、項目を指３の位置近傍に配置する。
【００４３】
本実施形態によれば、携帯端末の片手操作性が向上できる。また、利き手の区別がなく、操作しやすい指の位置を基に、キーの配置ができる。さらに、個々のユーザの使用方法合わせて、操作したい対象を、操作しやすい指の付近に配置できるといった効果を得ることができ、タッチパネルを有した各種携帯端末で、キー操作の利便性向上が期待できる。
【００４４】
従来の端末では、操作する指の位置が意識されておらず、画面均一にキーが配置されており、操作する指から距離のあるキーは押し辛いという問題点があったが、本実施形態は、操作する指の位置を感知し、キーの位置を変化させることで、携帯端末の片手操作性を向上することができる。
【００４５】
（実施形態３）
本実施形態の携帯端末の構成、処理について図１、図２および図４を用いて説明する。
図４は、タッチパネル１の画面外で操作する指３の位置を感知し、メニューアイコン６を指３の位置付近の画面上に配置する場合を示す。
【００４６】
本実施形態では、タッチパネルを用いた携帯電話のメニューアイコン６を、以下の２通りの方法で、指の位置を感知し、選択する場合を例として用いる。
２.タッチパネルの画面外で指の位置を感知する。これは、端末本体のタッチパネルの画面外にセンサを取り付け、使用する。
【００４７】
ユーザが携帯電話２を持つと、センサ５は指３（この場合、タッチパネルから最も近い距離にある指）の位置を感知し、その位置付近の画面上に、メニューアイコン６を配置する。この場合、メニューアイコン６を選択する（押下する）動作との区別は必要ない。
【００４８】
基本構成については図１および図２に示すように、携帯電話２は、タッチパネル１を有し、タッチパネル１は、メニューアイコン６および使用頻度順７から構成される。また、携帯電話２は、学習機能８、内部メモリ９、ＣＰＵ（図示せず）を内部に有する。また、ユーザの指３が携帯電話２に置かれている。さらに、後述するが、携帯電話２は、センサ４、または、センサ５を有する。
【００４９】
指３は、端末を操作するユーザのものである。センサ５は、タッチパネル１から最も近い距離にある指３を感知する。
【００５０】
使用頻度順７は、ユーザが使用した頻度を基に優先順位を付ける。学習機能８は、メニューアイコン６または端末内部のメニューアイコン６の使用頻度順７を判別する。内部メモリ９は、使用頻度順７を保存する。ＣＰＵは、タッチパネル１上のキーやメニューアイコン６である項目を配置する。
【００５１】
配置手段としてのＣＰＵは、タッチパネル１上のキーやメニューアイコン６である項目を配置する。また、画面上で感知した指３の位置を基に、最も近い距離にある指３から、キーやメニューアイコン６である項目を指３の位置近傍に配置する。また、センサで感知した操作するユーザの指３の位置と、保存されている使用頻度順７とに従って、項目を指３の位置近傍に配置する。
【００５２】
本実施形態によれば、携帯端末の片手操作性が向上できる。また、利き手の区別がなく、操作しやすい指の位置を基に、キーの配置ができる。さらに、個々のユーザの使用方法合わせて、操作したい対象を、操作しやすい指の付近に配置できるといった効果を得ることができ、タッチパネルを有した各種携帯端末で、キー操作の利便性向上が期待できる。
【００５３】
また、従来の端末では、操作する指の位置が意識されておらず、画面均一にキーが配置されており、操作する指から距離のあるキーは押し辛いという問題点があったが、本実施形態は、操作する指の位置を感知し、キーの位置を変化させることで、携帯端末の片手操作性を向上することができる。
【００５４】
また、本実施形態では、ユーザの選択操作を含めた、操作性の向上を意図しているので、閲覧時（見やすいように画面全体にキーやアイコンが並んでいる）から操作時にキーやアイコンを指の近くに配置することを示している。したがって、操作ボタンを指の位置に表示する訳ではなく、画面に広がったキーや操作したい場合を区別している機能を含んでいる。上記の一例として、熱センサや圧力センサを用い、画面外に指を置くことで、キーやアイコンの移動を行っている。
【００５５】
このように、本発明では、指を置いた位置、画面外の場合は、指を置いた側を、随時判断しており、操作する指を変更しても、再設定なしで、その都度キーやアイコンが追随することができる。
【図面の簡単な説明】
【００５６】
【図１】第１の実施形態における携帯端末の基本構成を示す図である。
【図２】第１の実施形態における携帯端末の内部構成を示す図である。
【図３】第２の実施形態における携帯端末の構成を示す図である。
【図４】第３の実施形態における携帯端末の構成を示す図である。
【符号の説明】
【００５７】
１    タッチパネル
２    携帯電話
３    端末を操作する指
４、５    センサ
６    メニューアイコン
７    使用頻度順
８    学習機能
９    内部メモリ
【図１】
2010020601.tif 000003
【図２】
2010020601.tif 000004
【図３】
2010020601.tif 000005
【図４】
2010020601.tif 000006